(57)【要約】【課題】コストアップを伴うことなく既存のモータに簡単に組み込むことができ、遠心力による気液分離効果によってオイルの吹き出しを確実に防ぐことができるモータのブリーザ装置を提供すること。【解決手段】モータ軸２がモータケース３内で垂直に起立するよう水平置きされるモータ１に設けられるブリーザ装置１０は、中空のモータ軸２の内部に組み込まれ、モータケース３内のエアを含んだオイルを遠心力によってエアとオイルとに分離し、分離したオイルをモータ軸２の内部へと排出し、分離したエアをモータケース３の外部へと排出するよう構成されている。ここで、ブリーザ装置１０は、ケーシング１１と、該ケーシング１１の内部に回転可能に支持された回転軸１２と、該回転軸１２に固定された主羽根車１３と分離羽根１４とを備えている。【選択図】図１
2020115024.tif 000002
【特許請求の範囲】
【請求項１】
モータ軸がモータケース内で垂直方向に延びるように水平置きされるモータに設けられるブリーザ装置であって、
中空の前記モータ軸の内部に組み込まれ、前記モータケース内のエアを含んだオイルを遠心力によってエアとオイルとに分離し、分離したオイルを前記モータ軸の内部へと排出し、分離したエアを前記モータケースの外部へと排出するよう構成されることを特徴とするモータのブリーザ装置。
【請求項２】
ケーシングと、
前記ケーシングの内部に回転可能に支持された回転軸と、
前記回転軸に固定された主羽根車及び分離羽根と、を備え、
前記主羽根車は、前記ケーシング内に吸い込んだエアを含んだオイルをエアとオイルとに分離する機能を有し、
前記分離羽根は、前記主羽根車で分離したオイルに残存するエアを分離する機能を有する
ことを特徴とする請求項１に記載のモータのブリーザ装置。
【請求項３】
前記ケーシングに、エアを含んだオイルを当該ケーシング内へと流入させる流入通路を接線方向に開口させたことを特徴とする請求項１又は２に記載のモータのブリーザ装置。
【請求項４】
前記流入通路にオリフィスを設けたことを特徴とする請求項３に記載のモータのブリーザ装置。
【請求項５】
前記モータ軸の内周にリングギヤを取り付け、該リングギヤに、前記回転軸の軸方向一端に結着されたピニオンギヤを噛合させ、前記モータ軸の回転を前記リングギヤと前記ピニオンギヤを介して前記回転軸に伝達して該回転軸を回転駆動することを特徴とする請求項２〜４の何れかに記載のモータのブリーザ装置。
【発明の詳細な説明】
【技術分野】
【０００１】
本発明は、モータに設けられるブリーザ装置に関する。
【背景技術】
【０００２】
例えば、モータにおいては、モータケース内の密閉された空間内でモータ軸とこれに取り付けられたロータが回転するが、これらの回転による発熱や外気温の変化等によってモータケースの内力が外気圧に対して変化し、その圧力変動が所定値以上になるとオイルのモータケース外への吹き出し等の種々の不具合が発生する。このため、モータケースの内圧の変動を一定以下に抑えるためのブリーザ装置が設けられている。このブリーザ装置は、モータケースの内圧の変動によって呼吸作用（息継ぎ作用）を成すものであって、内圧が一定値を超えて上昇すると内気をモータケース外へと排出し、逆に内圧が一定値を超えて低下すると外気をモータケース内に導入する機能を果たすものである。
【０００３】
かかるブリーザ装置に関して、例えば特許文献１，２には、車両の自動変速機等に設けられるものが提案されている。具体的には、動力伝達経路に配置されるカウンタシャフト等の動力伝達軸の中空部をブリーザ室とし、該動力伝達軸の回転の遠心力による気液分離効果によって、呼吸（息継ぎ）によるオイルの吹き出しを防ぐようにしている。
【０００４】
また、特許文献３には、ハウジングの天板の周縁に空気抜き孔が形成された減速機のエアブリーザ装置において、ハウジングの側板から一対の壁部を内方に向けて突設し、これらの壁部の先端に隙間を設ける構成が提案されている。これによれば、ハウジング内で水平方向に回転するギヤの左右何れの回転に対しても、ハウジング外へのオイルの吹き出しを抑制することができる。
【先行技術文献】
【特許文献】
【０００５】
【特許文献１】特開２００３−１６１３６２号公報
【特許文献２】国際公開第２０１２／１３２７３８号
【特許文献３】特開２０１０−０９６３２８号公報
【発明の概要】
【発明が解決しようとする課題】
【０００６】
しかしながら、特許文献１，２において提案されたブリーザ装置においては、エンジン等の駆動源の回転が減速されて伝達されるカウンタシャフト等の動力伝達軸の中空部をブリーザ室としているため、駆動源よりも回転速度が遅いブリーザ室での気液分離効果が弱く、ブリーザ装置が所望のブリーザ機能を十分果たすことができない可能性がある。
【０００７】
また、特許文献３において提案されたブリーザ装置においては、オイルの吹き出しを防ぐ目的のためにハウジングの形状が複雑化し、その製造コストが高くなるという問題がある。
【０００８】
本発明は、上記問題に鑑みてなされたもので、その目的は、コストアップを伴うことなく既存のモータに簡単に組み込むことができ、遠心力による気液分離効果によってオイルの吹き出しを確実に防ぐことができるモータのブリーザ装置を提供することにある。
【課題を解決するための手段】
【０００９】
上記目的を達成するため、本発明は、モータ軸（２）がモータケース（３）内で垂直方向に延びるように水平置きされるモータ（１）に設けられるブリーザ装置（１０）であって、中空のモータ軸（２）の内部に組み込まれ、モータケース（３）内のエアを含んだオイルを遠心力によってエアとオイルとに分離し、分離したオイルをモータ軸（２）の内部へと排出し、分離したエアをモータケース（３）の外部へと排出するように構成されることを特徴とする。
【００１０】
本発明にかかるモータのブリーザ装置によれば、ブリーザ装置を回転数の高いモータ軸の内部に組み込んだため、該ブリーザ装置の遠心力による気液分離効果が高められ、モータケース内のエアを含んだオイルからエアが効果的に分離される。そして、分離されたエアは、モータケース外へと排出されるため、モータケースの内圧の上昇が抑えられて該モータケースからのオイルの吹き出しが防がれる。また、エアが分離除去されたオイルは、中空のモータ軸の内部へと排出されるため、モータ軸がオイルによって冷却されてその温度上昇が抑えられる。
【００１１】
また、ブリーザ装置は、モータ軸の内部に簡単に組み込むことができるため、既存のモータに手を加える必要がなく、モータの設計変更等に伴うコストアップを招くことがない。
【００１２】
また、本発明では、ケーシング（１１）と、ケーシング（１１）の内部に回転可能に支持された回転軸（１２）と、回転軸（１２）に固定された主羽根車（１３）及び分離羽根（１４）と、を備え、主羽根車（１３）は、ケーシング（１１）内にエアを吸い込むと共に該吸い込んだエアに含まれるオイルを分離する機能を有し、分離羽根（１４）は、主羽根車（１３）で分離したオイルに残存するエアを分離する機能を有するようにしてもよい。
【００１３】
この構成によれば、ケーシング内で回転軸と共に回転する主羽根車によってモータケース内のエアを含んだオイルがケーシング内に吸い込まれてエアとオイルとに分離される。また、分離したエアに含まれる（微量の）オイルは、ケーシング内で回転する分離羽根によって確実に分離されて除去される。
【００１４】
また、本発明では、ケーシング（１１）に、エアを含んだオイルを当該ケーシング（１１）内へと流入させる流入通路（２０）を接線方向に開口させてもよい。
【００１５】
この構成によれば、モータケース内のエアを含んだオイルが流入通路から当該ブリーザ装置のケーシング内へと接線方向に流入するため、このエアを含んだオイルがケーシング内で旋回する。このため、エアを含んだオイルは、旋回に伴う遠心力による気液分離効果によってエアとオイルとに分離される。
【００１６】
また、本発明では、流入通路（２０）にオリフィス（２１）を設けてもよい。
【００１７】
この構成によれば、エアを含んだオイルは、流入通路を流れる過程でオリフィスによって絞られてその流速が増すため、ケーシング内に強い旋回流が発生し、当該ブリーザ装置の遠心力による気液分離効果が一層高められる。
【００１８】
また、本発明では、モータ軸（２）の内周にリングギヤ（１８）を取り付け、該リングギヤ（１８）に、回転軸（１２）の軸方向一端に結着されたピニオンギヤ（１７）を噛合させ、モータ軸（２）の回転をリングギヤ（１８）とピニオンギヤ（１７）を介して回転軸（１２）に伝達して該回転軸（１２）を回転駆動するようにしてもよい。
【００１９】
この構成によれば、モータ軸の回転が互いに噛合するリングギヤとピニオンギヤを経てブリーザ装置の回転軸へと伝達されるため、該回転軸とこれに取り付けられた主羽根車及び分離羽根が回転して当該ブリーザ装置が所望の気液分離機能を果たすようになる。
【発明の効果】
【００２０】
本発明にかかるモータのブリーザ装置によれば、コストアップを伴うことなく既存のモータに簡単に組み込むことができ、遠心力による気液分離効果によってオイルの吹き出しを確実に防ぐことができる。
【図面の簡単な説明】
【００２１】
【図１】本発明に係るブリーザ装置を備えるモータの縦断面図である。
【図２】本発明に係るブリーザ装置の縦断面図である。
【図３】図２のＡ−Ａ線断面図である。
【図４】本発明に係るブリーザ装置の作動原理を説明するための斜視図である。
【発明を実施するための形態】
【００２２】
以下、添付図面を参照して、本発明の実施の形態を説明する。
【００２３】
図１は本発明に係るブリーザ装置を備えるモータの縦断面図、図２は本発明に係るブリーザ装置の縦断面図、図３は図２のＡ−Ａ線断面図である。
【００２４】
図１に示すモータ１は、モータ軸２がモータケース３内で垂直方向（図の上下方向）に延びるように水平置きされた３相のブラシレスモータであって、モータ軸２の外周に取り付けられたロータ４と、該ロータ４の周囲に固設されたリング状のステータ５を備えている。ここで、モータケース３は、ケース本体３Ａの上下の開口部を上カバー３Ｂと下カバー３Ｃによってそれぞれ覆って構成されている。また、ステータ５は、複数本（図１には１本のみ図示）のボルト６によってモータケース３のケース本体３Ａ内の底部に取り付けられている。なお、図示しないが、ロータ４には、複数の永久磁石が内蔵されており、ステータ５には、３相分のコイルが巻装されている。また、モータケース３内の底部には、潤滑用のオイルが貯留されており、ロータ４の一部は、オイル内に浸漬されている。
【００２５】
ところで、モータ軸２は、中空軸として構成されており、その上端部と下端部の外周は、上下のボールベアリング７ａ，７ｂによってモータケース３の上カバー３Ｂと下カバー３Ｃにそれぞれ回転可能に支持されている。このモータ軸２の下端には、ギヤＧ１が一体に形成されており、このギヤＧ１は、その横に配されたギヤＧ２に噛合し、ギヤＧ２は、これの横に配されたギヤＧ３に噛合している。ここで、これらのギヤＧ１，Ｇ２，Ｇ３は、その径がこの順に大きくなっており、これらは減速ギヤ列を構成している。なお、ギヤＧ３は、上下のボールベアリング８ａ，８ｂによってモータケース３のケース本体３Ａと下カバー３Ｃによってそれぞれ回転可能に支持されている。
【００２６】
以上のように構成されたモータ１のステータ５に巻装された不図示のコイルに通電されると、該コイルを電流が流れることによる電磁誘導作用によってロータ４とモータ軸２が上下方向の軸を中心として水平回転する。モータ軸２の回転は、該モータ軸２の下端に一体に形成されたギヤＧ１と、これに噛合するギヤＧ２、該ギヤＧ２に噛合するギヤＧ３を順次経て減速されながら不図示の動力伝達軸等へと伝達される。なお、モータケース３内においては、底部に貯留されているオイルがロータ４によって周囲に飛散して各部の潤滑と冷却に供せられる。
【００２７】
ところで、本実施の形態においては、モータ１のモータ軸２の中空部に、本発明に係るブリーザ装置１０が組み込まれている。このブリーザ装置１０は、図２に詳細に示すように、円筒状のケーシング１１と、該ケーシング１１の内部に回転可能に支持された回転軸１２と、該回転軸１２に固定された主羽根車１３と分離羽根１４とを備えている。
【００２８】
上記ケーシング１１は、図１に示すように、モータ軸２の上部内周に挿通固着されており、その下端には、中空の軸受ブロック１５が挿通固着されている。ここで、回転軸１２の下端部は、軸受ブロック１５の中心を上下方向に貫通しており、この貫通部は、軸受ブロック１５の上下に固定されたボールベアリング１６ａ，１６ｂによって軸受ブロック１５に回転可能に支持されている。そして、回転軸１２の下端には、ピニオンギヤ１７が結着されており、このピニオンギヤ１７は、図１に示すように、モータ軸２の内周に結着されたリングギヤ１８に噛合している。
【００２９】
また、ケーシング１１内の中心を上下方向に延びる回転軸１２の高さ方向中間部には、主羽根車１３が取り付けられており、同回転軸１２の上端部には、分離羽根１４が取り付けられている。そして、ケーシング１１の下部外周には、後述のように当該ブリーザ装置１０によって分離されたオイルをモータ軸２の中空部へと排出するための複数（図示例では、２つ）の排出口１９（図２参照）が開口している。そして、ケーシング１１の分離羽根１４が配置された上端部外周には、図２に示すように、エアを含んだオイルをケーシング内へと導入するための２本の流入通路２０が互いに対向するように接線方向に取り付けられており、各流入通路２０には、オリフィス２１がそれぞれ設けられている。なお、ケーシング１１内の上部には、各流入通路２０から流入するエアを含んだオイルを下方へと案内するための漏斗状のガイド２２が設けられている。また、ケーシング１１の上端部には、後述のように当該ブリーザ装置１０によって分離されたエアをケーシング１１の外部へと排出するための排気口２３が開口している。
【００３０】
次に、以上のように構成されたブリーザ装置１０の作用について説明する。
【００３１】
前述のように、モータ１が起動されてモータケース３内でロータ４とモータ軸２が一体に回転すると、モータ軸２の回転がリングギヤ１８とこれに噛合するピニオンギヤ１７を経てブリーザ装置１０の回転軸１２へと伝達され、該回転軸１２とこれに取り付けられた主羽根車１３と分離羽根１４がケーシング１１内で高速で回転する。すると、モータケース３の内部に飛散するエアを含んだオイルは、図３に矢印にて示すように、主羽根車１３の回転によって２つの流入通路２０からケーシング１１内へと接線方向に流入する。ここで、各流入通路２０にはオリフィス２１が設けられているため、各流入通路２０を流れるエアを含んだオイルがオリフィス２１によって絞られてその流速が高められ、エアを含んだオイルは、ケーシング１１内の上部へと接線方向から勢い良く流入する。
【００３２】
上述のように、エアを含んだオイルがブリーザ装置１０のケーシング１１内の上部に接線方向から勢い良く流入すると、このエアを含んだオイルは、ガイド２２によってケーシング１１内を下方へと案内され、ケーシング１１内を旋回しながら旋回流となって下方へと進む。そして、その過程で、後述の原理によってエアがオイルから分離され、分離されたエアは、ケーシング１１内を上方へと流れ、その課程で分離羽根１４によってオイルが完全に分離除去された後、ケーシング１１の上端に開口する排気口２３からケーシング１１及びモータケース３の外部へと排出される。
【００３３】
他方、エアが分離除去されたオイルは、ケーシング１１内を主羽根車１３によって径方向外方へと飛ばされた後にケーシング１１内の下部へと流れ、そこに開口する排出口１９からモータ軸２の内部へと排出される。そして、モータ軸２の内部へと排出されたオイルは、モータ軸２の内部を落下する課程で該モータ軸２を冷却するため、モータ軸２の温度上昇が抑えられる。
【００３４】
以上の作用が繰り返されることによって、エアを含んだオイルから分離されたエアは、モータケース３外へと排出されるため、モータケース３の内圧の上昇が抑えられ、モータケース３外へのオイルの吹き出しが確実に防がれる。また、オイルからエアが分離除去されることによって、オイルの劣化と潤滑機能の低下が防がれる。
【００３５】
そして、エアが分離除去されたオイルは、ケーシング１１からモータ軸２の内部へと排出されて該モータ軸２の内部を下方へと流れる過程で当該モータ軸２を冷却するため、前述のようにモータ軸２の温度上昇が抑えられる。
【００３６】
ここで、ブリーザ装置１０の動作原理を図４に基づいて以下に説明する。
【００３７】
即ち、図４はブリーザ装置１０の動作原理を説明するための斜視図であり、図示のようにケーシング１１の上部外周に接線方向に取り付けられた２つの流入通路２０からエアを含んだオイルがケーシング１１の内部に接線方向から流入すると、このエアを含んだオイルは、ケーシング１１内を旋回しながら下方に向かって進むが、その過程で、エアよりも比重が大きなオイルは、これに作用する大きな遠心力によってケーシング１１の外周部に集積され、比重の小さなエアは、ケーシング１１内の中心部に集積される。
【００３８】
ここで、オイルの比重をγｏ、エアの比重をγａ、旋回半径をｒ、旋回角速度をωとすると、オイルに作用する遠心力Ｆｏとエアに作用する遠心力Ｆａは、それぞれ次式によって表される。
【００３９】
Ｆｏ＝γｏ・ｒ・ω２      …（１）
Ｆａ＝γａ・ｒ・ω２      …（２）
ここで、オイルの比重γｏはエアの比重γａよりも大きく、両者間には次式の大小関係が成立する。
【００４０】
γｏ＞γａ      …（３）
従って、式（１）〜（３）式より、
Ｆｏ＞Ｆａ        …（４）
となり、オイルに作用する遠心力Ｆｏの方がエアに作用する遠心力Ｆａよりも大きいため、前述のようにオイルが遠心力Ｆｏによってケーシング１１内の外周部に集積され、エアはケーシング１１内の中心部に集積され、この結果、エアがオイルから分離される。
【００４１】
以上のように、本実施の形態によれば、ブリーザ装置１０を回転数の高いモータ軸２の内部に組み込んだため、該ブリーザ装置１０の遠心力による気液分離効果が高められ、モータケース３内のエアを含んだオイルからエアが効果的に分離される。そして、分離されたエアは、モータケース３の外へと排出されるため、モータケース３の内圧の上昇が抑えられて、該モータケース３からのオイルの吹き出しが防がれる。また、エアが分離除去されたオイルは、中空のモータ軸２の内部へと排出されるため、モータ軸２がオイルによって冷却されてその温度上昇が抑えられる。
【００４２】
また、ブリーザ装置１０は、モータ軸２の内部に簡単に組み込むことができるため、既存のモータ１に手を加える必要がなく、モータ１の設計変更等に伴うコストアップを招くことがない。
【００４３】
本発明は、以上説明した実施の形態に適用が限定されるものではなく、特許請求の範囲及び明細書と図面に記載された技術的思想の範囲内で種々の変形が可能である。
【符号の説明】
【００４４】
１        モータ
２        モータ軸
３        モータケース
１０      ブリーザ装置
１１      ケーシング
１２      回転軸
１３      主羽根車
１４      分離羽根
１７      ピニオンギヤ
１８      リングギヤ
１９      排出口
２０      流入通路
２１      オリフィス
２２      ガイド
２３      排気口
【図１】
2020115024.tif 000003
【図２】
2020115024.tif 000004
【図３】
2020115024.tif 000005
【図４】
2020115024.tif 000006